(57)【特許請求の範囲】
【請求項１】
少なくとも入射した光のうち、左円偏光又は右円偏光のいずれか一方のみを反射して反射光を生成する円偏光選択性を有する反射性フィルムを備え、
この反射性フィルムには、反射光と同一の円偏光の光を反射光と異なる方向に反射させてホログラム像を形成するホログラム形成部が設けられていることを特徴とする真正性識別フィルム。
【請求項２】
少なくとも入射した光のうち、左円偏光又は右円偏光の光のいずれか一方のみを反射して反射光を生成する円偏光選択性を有する反射性フィルムと、
反射性フィルムに積層され、反射光と反対の円偏光の光を反射光と異なる方向に反射させてホログラム像を形成するホログラム形成部を有するホログラム形成層と、
を備えたことを特徴とする真正性識別フィルム。
【請求項３】
反射性フィルムは液晶フィルムからなることを特徴とする請求項１または２のいずれか記載の真正性識別フィルム。
【請求項４】
反射性フィルムはコレステリック相を固定化していることを特徴とする請求項３記載の真正性識別フィルム。
【請求項５】
ホログラム形成部はエンボス・ホログラムからなることを特徴とする請求項１または２のいずれか記載の真正性識別フィルム。
【請求項６】
対象物に接着するための接着層を更に備えたことを特徴とする請求項１または２のいずれか記載の真正性識別フィルム。
【請求項７】
対象物から真正性識別フィルムを剥離する際、反射性フィルムが破損することを特徴とする請求項６記載の真正性識別フィルム。
【請求項８】
反射性フィルムの対象物と反対側に、保護層が設けられていることを特徴とする請求項６記載の真正性識別フィルム。
【請求項９】
反射性フィルムの対象物と反対側に、追加接着層を介してフィルム基材を設けたことを特徴とする請求項６記載の真正性識別フィルム。
【請求項１０】
反射性フィルムと接着層との間に、光吸収層が設けられていることを特徴とする請求項６記載の真正性識別フィルム。
【請求項１１】
少なくとも入射した光のうち、左円偏光又は右円偏光のいずれか一方のみを反射して反射光を生成する円偏光選択性を有する反射性フィルムを備え、この反射性フィルムには、反射光と同一の円偏光の光を反射光と異なる方向に反射させてホログラム像を形成するホログラム形成部が設けられている真正性識別フィルム、または
少なくとも入射した光のうち、左円偏光又は右円偏光の光のいずれか一方のみを反射して反射光を生成する円偏光選択性を有する反射性フィルムと、反射性フィルムに積層され、反射光と反対の円偏光の光を反射光と異なる方向に反射させてホログラム像を形成するホログラム形成部を有するホログラム形成層と、を備えた真正性識別フィルムと、
真正性識別フィルムが接着される対象物と、
対象物と真正性識別フィルムとの間に介在された写真とを備えたことを特徴とする真正性識別フィルム付対象物。
【請求項１２】
少なくとも入射した光のうち、左円偏光又は右円偏光のいずれか一方のみを反射して反射光を生成する円偏光選択性を有する反射性フィルムを備え、この反射性フィルムには、反射光と同一の円偏光の光を反射光と異なる方向に反射させてホログラム像を形成するホログラム形成部が設けられている真正性識別フィルム、または
少なくとも入射した光のうち、左円偏光又は右円偏光の光のいずれか一方のみを反射して反射光を生成する円偏光選択性を有する反射性フィルムと、反射性フィルムに積層され、反射光と反対の円偏光の光を反射光と異なる方向に反射させてホログラム像を形成するホログラム形成部を有するホログラム形成層と、を備えた真正性識別フィルムと、
真正性識別フィルムに光を照射する光源部と、
真正性識別フィルムからの反射光およびホログラム像を検出する検出部と、を備えたことを特徴とする真正性識別システム。
【請求項１３】
検出部は所定の波長帯域の光のみを検出する機能を有することを特徴とする請求項１２記載の真正性識別システム。
【請求項１４】
検出部は透過光量を検出する機能を有することを特徴とする請求項１２記載の真正性識別システム。
【請求項１５】
光源部または検出部のうち、少なくともいずれか一方は偏光板、位相差板または帯域フィルムのいずれかを有することを特徴とする請求項１２記載の真正性識別システム。
【請求項１６】
少なくとも入射した光のうち、左円偏光又は右円偏光のいずれか一方のみを反射して反射光を生成する円偏光選択性を有する反射性フィルムを備え、この反射性フィルムには、反射光と同一の円偏光の光を反射光と異なる方向に反射させてホログラム像を形成するホログラム形成部が設けられている真正性識別フィルム、または
少なくとも入射した光のうち、左円偏光又は右円偏光の光のいずれか一方のみを反射して反射光を生成する円偏光選択性を有する反射性フィルムと、反射性フィルムに積層され、反射光と反対の円偏光の光を反射光と異なる方向に反射させてホログラム像を形成するホログラム形成部を有するホログラム形成層と、を備えた真正性識別フィルムの使用方法において、
左円偏光又は右円偏光をそれぞれ真正性識別フィルムに照射する工程と、
いずれか一方の円偏光の光の反射光を読みとることができ、他方の円偏光の光の反射光を読みとることができない場合に真正品として判断する工程と、を備えたことを特徴とする真正性識別フィルムの使用方法。
【請求項１７】
少なくとも入射した光のうち、左円偏光又は右円偏光のいずれか一方のみを反射して反射光を生成する円偏光選択性を有する反射性フィルムを備え、この反射性フィルムには、反射光と同一の円偏光の光を反射光と異なる方向に反射させてホログラム像を形成するホログラム形成部が設けられている真正性識別フィルム、または
少なくとも入射した光のうち、左円偏光又は右円偏光の光のいずれか一方のみを反射して反射光を生成する円偏光選択性を有する反射性フィルムと、反射性フィルムに積層され、反射光と反対の円偏光の光を反射光と異なる方向に反射させてホログラム像を形成するホログラム形成部を有するホログラム形成層と、を備えた真正性識別フィルムの使用方法において、
左円偏光及び右円偏光を含む光を真正性識別フィルムに照射する工程と、
真正性識別フィルムからの反射光と異なる角度でホログラム像を読み取ることができた場合に真正品として判断する工程と、を備えたことを特徴とする真正性識別フィルムの使用方法。
【請求項１８】
少なくとも入射した光のうち、左円偏光又は右円偏光のいずれか一方のみを反射して反射光を生成する円偏光選択性を有する反射性フィルムを備え、この反射性フィルムには、反射光と同一の円偏光の光を反射光と異なる方向に反射させてホログラム像を形成するホログラム形成部が設けられている真正性識別フィルム、または
少なくとも入射した光のうち、左円偏光又は右円偏光の光のいずれか一方のみを反射して反射光を生成する円偏光選択性を有する反射性フィルムと、反射性フィルムに積層され、反射光と反対の円偏光の光を反射光と異なる方向に反射させてホログラム像を形成するホログラム形成部を有するホログラム形成層と、を備えた真正性識別フィルムの使用方法において、
左円偏光及び右円偏光を含む光を真正性識別フィルムに照射する工程と、
左円偏光又は右円偏光のいずれか一方の光のみを透過する判別具をあてて目視した場合に、目視不能となる部分があるときは真正品であると判定する工程と、を備えたことを特徴とする真正性識別フィルムの使用方法。
【請求項１９】
少なくとも入射した光のうち、左円偏光又は右円偏光のいずれか一方のみを反射して反射光を生成する円偏光選択性を有する反射性フィルムを備え、この反射性フィルムには、反射光と同一の円偏光の光を反射光と異なる方向に反射させてホログラム像を形成するホログラム形成部が設けられている真正性識別フィルム、または
少なくとも入射した光のうち、左円偏光又は右円偏光の光のいずれか一方のみを反射して反射光を生成する円偏光選択性を有する反射性フィルムと、反射性フィルムに積層され、反射光と反対の円偏光の光を反射光と異なる方向に反射させてホログラム像を形成するホログラム形成部を有するホログラム形成層と、を備えた真正性識別フィルムの使用方法において、
左円偏光及び右円偏光を含む光を真正性識別フィルムに照射する工程と、
左円偏光又は右円偏光のいずれか一方の光のみを透過する判別具をあてて透過光量の差を電気光学的に検出した場合に、その差によって真正品であるか否かを判定する工程と、を備えたことを特徴とする真正性識別フィルムの使用方法。
【発明の詳細な説明】
技術分野
本発明は、カード、商品券、金券、切符、紙幣、パスポート、身分証明書、証券、公共競技投票券などの対象物の偽造を防止する真正性識別フィルム及び真正性識別システム並びに真正性識別フィルムの使用方法に関する。
背景技術
従来より、クレジットカードや証書、金券類の偽造を防止する方法として、偽造防止対象物に偽造の困難な真正性識別媒体を貼付し、これを目視又は機械的に真正性を判定する方法が知られている。このような真正性識別媒体としては、ホログラムや液晶性フィルムが開発されている。
ホログラムとしては、文字や絵柄をホログラム像として、目視判定するもの、数値コードや特定のパターンをホログラム像として、機械認識するもの及び両者の組み合わせたものなどがある。ホログラム像は、通常のカラーコピー装置等では複製できず偽造防止に有効であること、意匠性が高いこと、製造が困難なことなどから、広く普及してきている。
液晶性フィルムとしては、見る角度によって反射色が変化するコレステリック液晶を用いる方法（特開昭６３−５１１９３）や、光学的異方性を有するネマチック液晶などを用いる方法（特開平８−４３８０４）などが提案されている。特に、コレステリック液晶を用いる方法は、コレステリック液晶の持つ選択反射性と円偏光選択性という２つの特性を１つの媒体に真正性識別のための情報として組み込むことができる上に、コレステリック液晶を量産性に富んだ形で固定化することが困難であるので、偽造防止に優れた方法である。
しかし、前述した従来のホログラムは、近年のホログラム製造技術の普及に伴って、偽造品製造が可能となってきており、偽造防止効果が低下している。
また、液晶性フィルムは、偽造が困難であるが、実施者自身が量産することも困難であるので、真正性識別媒体として普及していない。
発明の開示
本発明の課題は、意匠性に富み、偽造が困難で、真正性識別を目視でも機械でも容易におこなえる真正性識別フィルム及び真正性識別システム並びに真正性識別フィルムの使用方法を提供することである。
本発明は、少なくとも入射した光のうち、左円偏光又は右円偏光のいずれか一方のみを反射して反射光を生成する円偏光選択性を有する反射性フィルムを備え、この反射性フィルムには、反射光と同一の円偏光の光を反射光と異なる方向に反射させてホログラム像を形成するホログラム形成部が設けられていることを特徴とする真正性識別フィルムである。
本発明は、少なくとも入射した光のうち、左円偏光又は右円偏光の光のいずれか一方のみを反射して反射光を生成する円偏光選択性を有する反射性フィルムと、反射性フィルムに積層され、反射光と反対の円偏光の光を反射光と異なる方向に反射させてホログラム像を形成するホログラム形成部を有するホログラム形成層と、を備えたことを特徴とする真正性識別フィルムである。
本発明は、反射性フィルムは液晶フィルムからなることを特徴とする真正性識別フィルムである。
本発明は、反射性フィルムはコレステリック相を固定化していることを特徴とする真正性識別フィルムである。
本発明は、ホログラム形成部はエンボス・ホログラムからなることを特徴とする真正性識別フィルムである。
本発明は、対象物に接着するための接着層を更に備えたことを特徴とする真正性識別フィルムである。
本発明は、対象物から真正性識別フィルムを剥離する際、反射性フィルムが破損することを特徴とする真正性識別フィルムである。
本発明は、反射性フィルムの対象物と反対側に、保護層が設けられていることを特徴とする真正性識別フィルムである。
本発明は、反射性フィルムの対象物と反対側に、追加接着層を介してフィルム基材を設けたことを特徴とする真正性識別フィルムである。
本発明は、反射性フィルムと接着層との間に、光吸収層が設けられていることを特徴とする真正性識別フィルムである。
本発明は、少なくとも入射した光のうち、左円偏光又は右円偏光のいずれか一方のみを反射して反射光を生成する円偏光選択性を有する反射性フィルムを備え、この反射性フィルムには、反射光と同一の円偏光の光を反射光と異なる方向に反射させてホログラム像を形成するホログラム形成部が設けられている真正性識別フィルム、または少なくとも入射した光のうち、左円偏光又は右円偏光の光のいずれか一方のみを反射して反射光を生成する円偏光選択性を有する反射性フィルムと、反射性フィルムに積層され、反射光と反対の円偏光の光を反射光と異なる方向に反射させてホログラム像を形成するホログラム形成部を有するホログラム形成層と、を備えた真正性識別フィルムと、真正性識別フィルムが接着される対象物と、対象物と真正性識別フィルムとの間に介在された写真とを備えたことを特徴とする真正性識別フィルム付対象物である。
本発明は、少なくとも入射した光のうち、左円偏光又は右円偏光のいずれか一方のみを反射して反射光を生成する円偏光選択性を有する反射性フィルムを備え、この反射性フィルムには、反射光と同一の円偏光の光を反射光と異なる方向に反射させてホログラム像を形成するホログラム形成部が設けられている真正性識別フィルム、または少なくとも入射した光のうち、左円偏光又は右円偏光の光のいずれか一方のみを反射して反射光を生成する円偏光選択性を有する反射性フィルムと、反射性フィルムに積層され、反射光と反対の円偏光の光を反射光と異なる方向に反射させてホログラム像を形成するホログラム形成部を有するホログラム形成層と、を備えた真正性識別フィルムと、真正性識別フィルムに光を照射する光源部と、真正性識別フィルムからの反射光およびホログラム像を検出する検出部と、を備えたことを特徴とする真正性識別システムである。
本発明は、検出部は所定の波長帯域の光のみを検出する機能を有することを特徴とする真正性識別システムである。
本発明は、検出部は透過光量を検出する機能を有することを特徴とする真正性識別システムである。
本発明は、光源部または検出部のうち、少なくともいずれか一方は偏光板、位相差板または帯域フィルムのいずれかを有することを特徴とする真正性識別システムである。
本発明は、少なくとも入射した光のうち、左円偏光又は右円偏光のいずれか一方のみを反射して反射光を生成する円偏光選択性を有する反射性フィルムを備え、この反射性フィルムには、反射光と同一の円偏光の光を反射光と異なる方向に反射させてホログラム像を形成するホログラム形成部が設けられている真正性識別フィルム、または少なくとも入射した光のうち、左円偏光又は右円偏光の光のいずれか一方のみを反射して反射光を生成する円偏光選択性を有する反射性フィルムと、反射性フィルムに積層され、反射光と反対の円偏光の光を反射光と異なる方向に反射させてホログラム像を形成するホログラム形成部を有するホログラム形成層と、を備えた真正性識別フィルムの使用方法において、左円偏光又は右円偏光をそれぞれ真正性識別フィルムに照射する工程と、いずれか一方の円偏光の光の反射光を読みとることができ、他方の円偏光の光の反射光を読みとることができない場合に真正品として判断する工程と、を備えたことを特徴とする真正性識別フィルムの使用方法である。
本発明は、少なくとも入射した光のうち、左円偏光又は右円偏光のいずれか一方のみを反射して反射光を生成する円偏光選択性を有する反射性フィルムを備え、この反射性フィルムには、反射光と同一の円偏光の光を反射光と異なる方向に反射させてホログラム像を形成するホログラム形成部が設けられている真正性識別フィルム、または少なくとも入射した光のうち、左円偏光又は右円偏光の光のいずれか一方のみを反射して反射光を生成する円偏光選択性を有する反射性フィルムと、反射性フィルムに積層され、反射光と反対の円偏光の光を反射光と異なる方向に反射させてホログラム像を形成するホログラム形成部を有するホログラム形成層と、を備えた真正性識別フィルムの使用方法において、左円偏光及び右円偏光を含む光を真正性識別フィルムに照射する工程と、真正性識別フィルムからの反射光と異なる角度でホログラム像を読み取ることができた場合に真正品として判断する工程と、を備えたことを特徴とする真正性識別フィルムの使用方法である。
本発明は、少なくとも入射した光のうち、左円偏光又は右円偏光のいずれか一方のみを反射して反射光を生成する円偏光選択性を有する反射性フィルムを備え、この反射性フィルムには、反射光と同一の円偏光の光を反射光と異なる方向に反射させてホログラム像を形成するホログラム形成部が設けられている真正性識別フィルム、または少なくとも入射した光のうち、左円偏光又は右円偏光の光のいずれか一方のみを反射して反射光を生成する円偏光選択性を有する反射性フィルムと、反射性フィルムに積層され、反射光と反対の円偏光の光を反射光と異なる方向に反射させてホログラム像を形成するホログラム形成部を有するホログラム形成層と、を備えた真正性識別フィルムの使用方法において、左円偏光及び右円偏光を含む光を真正性識別フィルムに照射する工程と、左円偏光又は右円偏光のいずれか一方の光のみを透過する判別具をあてて目視した場合に、目視不能となる部分があるときは真正品であると判定する工程と、を備えたことを特徴とする真正性識別フィルムの使用方法である。
本発明は、少なくとも入射した光のうち、左円偏光又は右円偏光のいずれか一方のみを反射して反射光を生成する円偏光選択性を有する反射性フィルムを備え、この反射性フィルムには、反射光と同一の円偏光の光を反射光と異なる方向に反射させてホログラム像を形成するホログラム形成部が設けられている真正性識別フィルム、または少なくとも入射した光のうち、左円偏光又は右円偏光の光のいずれか一方のみを反射して反射光を生成する円偏光選択性を有する反射性フィルムと、反射性フィルムに積層され、反射光と反対の円偏光の光を反射光と異なる方向に反射させてホログラム像を形成するホログラム形成部を有するホログラム形成層と、を備えた真正性識別フィルムの使用方法において、左円偏光及び右円偏光を含む光を真正性識別フィルムに照射する工程と、左円偏光又は右円偏光のいずれか一方の光のみを透過する判別具をあてて透過光量の差を電気光学的に検出した場合に、その差によって真正品であるか否かを判定する工程と、を備えたことを特徴とする真正性識別フィルムの使用方法である。
発明を実施するための最良の形態
第１の実施の形態
以下、図面等を参照して、本発明の実施の形態について、さらに詳しく説明する。
（実施の形態１−１）
図１は、本発明による真正性識別フィルムの実施の形態１−１を示した断面図である。
真正性識別フィルム１０は、反射性フィルム１１と、保護層１２と、光吸収層１３と、基板フィルム１４とを備えている。
反射性フィルム１１は、入射した光のうち、左円偏光又は右円偏光のいずれか一方の光のみを反射させて反射光を生成する層である。また、反射性フィルム１１の片側界面には、ホログラム形成部１１ａが設けられている。ホログラム形成部１１ａは、反射性フィルム１１で反射する反射光と同一の円偏光の光を反射光と異なる方向に反射して、ホログラム像を形成する。すなわち反射性フィルム１１は、反射性フィルム１１の保護層１２側表面および層内部において、左円偏光又は右円偏光のいずれか一方の光のみを反射させ、反射光を生成する。反射光と同一の円偏光の光は、更にホログラム形成部１１ａまで達し、このホログラム形成部１１ａにおいて反射光と異なる方向に反射してホログラム像を形成する。
反射性フィルム１１は、コレステリック液晶相を有する。このコレステリック液晶相の平均的な螺旋軸方位は、膜厚方向と平行である。なお、コレステリック液晶については、後で詳細に説明する。
反射性フィルム１１は、コレステリック液晶配向を固定化した高分子フィルム又はコレステリック液晶粒子を担体中に分散したフィルムなど光学的に選択反射性及び円偏光選択性を示す媒体すべてを用いることが可能であるが、特に液晶配向を固定化した高分子フィルムを好適に用いることができる。
このような高分子フィルムの例としては、低分子液晶をコレステリック配向させた後、光反応又は熱反応などで低分子液晶を架橋して配向固定化した高分子フィルムをあげることができる。また、他の例としては、側鎖型又は主鎖型のサーモトロピック高分子液晶を液晶状態でコレステリック配向させた後、液晶転移点以下の温度に冷却して、配向状態を固定化して作製した高分子フィルムをあげることができる。さらに、側鎖型又は主鎖型のリオトロピック高分子液晶を溶液中でコレステリック配向させた後、溶媒を徐々に除去することによって配向状態を固定化して作製した高分子フィルムを用いることもできる。
これらフィルム作製に用いることのできる高分子液晶の例としては、側鎖に液晶形成基を有するポリアクリレート、ポリメタクリレート、ポリシロキサン、ポリマロネートなどの側鎖型ポリマー、主鎖に液晶形成基をもつポリエステル、ポリエステルアミド、ポリカーボネート、ポリアミド、ポリイミドなどの主鎖型ポリマーをあげることができる。
ホログラム形成部１１ａは、エンボス・ホログラムのマスター型を用意し、そのマスター型の表面の微小凹凸を反射性フィルム１１の片側界面に転写して形成する。転写の方法としては、プレス機、圧延機、カレンダーロール、ラミネーター、スタンパーなどで加熱加圧する方法が挙げられる。また、別の方法としては、ホログラムのマスター型上でコレステリック液晶層を直接塗布配向させる方法が挙げられる。ホログラム形成部１１ａで反射した光は、反射性フィルム１１で反射する反射光と異なる方向へ反射してホログラム像を形成する。
保護層１２は、反射性フィルム１１を保護する層である。保護層１２は、その材質として、アクリル系樹脂、ウレタン系樹脂、エポキシ系樹脂、シリコン系樹脂、ＥＶＡ系樹脂、ポリアミド系樹脂、ポリエステル系樹脂、ポリスチレン系樹脂、セルロース系樹脂、およびこれらの混合物などを好適に用いることができるが、これに限定するものではない。保護層１２は、真正性識別フィルム１０の表面に要求される平滑性、ハードコート性、耐摩耗性などに応じて適宜選択するとよい。
光吸収層１３は、反射性フィルム１１を透過した光を吸収する層である。光吸収層１３は、例えば、墨インクのような黒色インクを用いることができる。このとき、光吸収層１３は、反射性フィルム１１の透過光を吸収するので、透過光による余分な反射を防止できて、ホログラムの画像を目視確認しやすくなる。
また、光吸収層１３は、デザイン性の観点などから、反射性フィルム１１を透過した光のうち特定の波長帯域の光のみ吸収するように、色インクなどからなる着色層で形成してもよい。
基板フィルム１４は、真正性識別フィルム１０に自己支持性を付与するフィルムである。基板フィルム１４の材質は真正性識別フィルム１０の使用目的に応じて選定されるものであり限定されるものではないが、プラスチック基板が好ましく、特に好ましくは、ポリカーボネイト、ポリビニルアルコール、ポリスルホン、ポリエチレン、ポリプロピレン、ポリスチレン、ポリアリレート、ポリエチレンテレフタレート、トリアセチルセルロース、ジアセチルセルロース、ポリエチレン−エチルビニルアルコールを例示できる。また、基板フィルム１４としては、液晶配向を固定化した高分子フィルムや、上記プラスチック基板の材質と高分子液晶の混合物からなるフィルムも好ましい。
図２は、本発明の真正性識別フィルムが含有するコレステリック液晶の構造を示す模式図であり、図３は、本発明の真正性識別フィルムによる反射光の反射強度−波長特性の一例を示す線図である。
（コレステリック液晶の説明）
コレステリック液晶は、液晶分子の配向構造が膜厚方向に螺旋を描くように規則的なねじれを有している（図２）。また、コレステリック液晶は、ピッチＰ（液晶分子が３６０°回転するのに必要な膜厚）と入射光の波長λがほぼ等しい場合に、選択反射性と円偏光選択性という２つの光学的性質を示すことが知られている（参考文献；液晶とディスプレイ応用の基礎、コロナ社など）。
選択反射性とは、入射光のうち特定の波長帯域内にある光を強く反射する性質をいう（図３）。この選択反射性は、特定の波長帯域的に限定されて発現するため、コレステリック液晶のピッチＰを適切に選択することで反射光は色純度の高い有彩色となる。その帯域の中心波長をλｓ、帯域幅をΔλとすれば、これらは光学媒体のピッチＰ（＝λ／ｎｍ）と平均屈折率ｎｍ（＝√（（ｎｏ２＋ｎｅ２）／２））によって、式（１），（２）のように決まる。ここで、Δｎは光学媒体の面内の異常光線屈折率ｎｅと常光線屈折率ｎｏの差（Δｎ＝ｎｅ−ｎｏ）とする。
λｓ＝ｎｍ・Ｐ                  ……（１）
Δλ＝Δｎ・Ｐ／ｎｍ            ……（２）
式（１），（２）に示した中心波長λｓおよび波長帯域幅Δλは、コレステリック液晶層への入射光が垂直入射（０”入射、ｏｎ−ａｘｉｓ入射）の場合において定義されるが、入射光が斜め入射（ｏｆｆ−ａｘｉｓ入射）である場合、ピッチＰが見かけ上減少することから、中心波長λｓは短波長側へ移行し、帯域幅Δλは減少する。この現象は、λｓが短波長側へ移行することからブルーシフトと呼ばれ、その移行量は入射角に依存するが、目視で観察しても容易に識別可能である。たとえば、垂直（０°入射位置）から観察して赤色に呈色するコレステリック液晶の反射色は、視野角を大きくしていくにつれオレンジ色、黄色、緑色、青緑色、青色と順次変化するように観察される。
円偏光選択性とは、特定の回転方向の円偏光だけを透過し、これと回転方向が反対の円偏光を反射する性質をいう。入射光のうちコレステリック液晶の配向構造のねじれ方向と同方向の円偏光成分は反射され、その反射光の回転方向も同一方向となるのに対し、逆方向に回転する円偏光成分は透過する点がコレステリック液晶に特有な特異な性質である。右ねじれ構造を有するコレステリック液晶の場合、右円偏光を反射し、かつ反射光は右円偏光のままであり、左日偏光は透過することになる。
（ホログラムの説明）
ホログラムは、対象物に形成した回折格子の格子間隔、回折方向を画素サイズの微小領域で変化させることで所望のパターン、像、文字などを結像させたものである。ホログラムは、その構造から体積型ホログラムと平面型ホログラムの２種類に分類され、また光の変調方式から振幅型と位相型に分類されるが、工業的には１つのマスター型からマイクロレプリカ法で大量複製が可能な位相変調平面型ホログラム（エンボス・ホログラム）が広く普及している。可視光領域で鮮明なホログラム像を得るためには、回折格子の格子間隔を１０μｍ〜１００ｎｍ程度の範囲で極めて精密に制御する必要があるので、マスター型の作製およびレプリカの製造には高度で熟練した加工技術が要求される。
また、図３に示すように、ホログラムも、入射光のうち特定の波長帯域内にある光を強く反射するので、この反射光の波長を観測することでも、真正性識別ができる。
（使用方法）
図４（Ａ）および図４（Ｂ）は、本発明による真正性識別フィルムを使用する真正性識別システムを説明する図である。ここで図４（Ａ）は、真正性識別フィルムの断面図、図４（Ｂ）は、真正性識別フィルムの斜視図である。
真正性識別フィルム１０は、熱転写方式、シール方式、スレッド方式または熱転写リボン方式などの方式によって、真正性識別対象物２０に接着層４５（図７参照）を介して貼付して用いられる。ここで、真正性識別対象物２０として、プラスチックカード（クレジットカード、銀行カード、ＩＤカードなど）、有価証券（商品券、金券、ギフト券、株券など）、ＰＥＴカード（プリペイドカード、定期券など）、切符、紙幣、パスポート及び公共競技投票券などの金券類を例示できるが、これに限定するものではない。
反射性フィルム１１を構成するコレステリック液晶相の螺旋軸の回転方向が右回転（反時計回り）の場合において、光源部２１より自然光を照射したときは、図中実線矢印で示した正反射位置におかれた検出器２２ａによって、反射性フィルム１１で反射された右円偏光の反射光が検出される。ここで右円偏光の光は、便宜上反射性フィルム１１の保護層１２側表面のみで反射して反射光を生成するよう示されているが、右円偏光の光は反射性フィルム１１の層内でも反射して反射光を生成する。
また、図中破線矢印に示す検出器２２ａが配置された正反射位置以外におかれた検出器２２ｂによって、反射性フィルム１１の片側界面に形成されたホログラム形成部１１ａにより反射回折されたホログラム像を検出することができる。この場合、ホログラム形成部１１ａでは反射光と同一の右円偏光が反射してホログラム像を生成する。また検出器２２ａに、円偏光の回転方向を判別するために、円偏光板、又は、直線偏光板と位相差フィルムとを組み合わせたものを組み込めば、右円偏光板使用時には光が透過し検出され、左円偏光板使用時には光が吸収され検出されないので、反射光が右円偏光であることが容易に認識できる。通常の反射体には円偏光選択性がないため、左右どちらの円偏光板を使用しても、常に反射光が検出される。これに対して本願発明によれば、図４（Ａ）（Ｂ）の真正性識別システムにより真正性識別フィルム１０の真正性を容易に識別することができる。
さらに、反射性フィルム１１の波長選択性を識別する目的で、光源部２１に円偏光の色を選別するための帯域フィルタを組み込んだり、又は、検出器２２ａに円偏光の色を識別するための帯域フィルタもしくは分光システムを組み込むことができる。このようにすれば、反射光が所望の波長帯域の光であるか否かで、真正性識別フィルム１０の真正性を容易に識別することができる。また、電気光学的に検出することも可能となる。
さらにまた、機密性を向上させる目的で、暗号化された真正性識別コードを回折方向や回折波長にもたせたホログラム形成部１１ａを反射性フィルム１１に設は、ホログラム形成部１１ａからのホログラム像を検出器２２ｂにより読み取り、更に検出器２２ｂに取り付けた真正性識別コード解読器２３により真正性を識別することで、真正性識別フィルム１０の真正性を容易に識別することができる。
また、光源部２１より円偏光特性を持たせた光を照射すると、さらに顕著に真正性を識別することができる。すなわち、右円偏光を照射したときは、コレステリック反射を真正性位置の検出器２２ａで観察でき、かつホログラム像を正反射位置以外の検出器２２ｂでも観察することができる。これに対して、左円偏光を照射したときは、反射光およびホログラム像は生じず光吸収層１３の色が観察されるのみとなる。
以上述べたように、真正性識別フィルム１０からの反射光の円偏光の回転方向および反射帯域を識別したり、ホログラム像の真正性識別コードの解読を目的として、光源部２１および検出器２２ａ，２２ｂに加えて円偏光板、直線偏光板、位相差板、帯域フィルタ、分光システムおよび真正性識別コード解読器２３を設けてもよい。これにより真正性識別フィルム１０の真正性をより正確に識別することができる。また、電気光学的に検出することも可能となる。
本実施形態によれば、反射性フィルム１１は、コレステリック液晶相を有するので、反射性フィルム１１からの反射光は、円偏光性を有するため、反射光を円偏光板を組み込んだ検出器２２ａで検出することにより、真正性識別フィルム１０の真正性を容易に識別することができる。また、反射光は、特定の波長帯域の波長光になるため、目視によって、真正性識別フィルム１０の真正性を容易に識別することができるとともに、機械読み取りを行えば、真正性をより正確に識別することができる。
また、反射性フィルム１１には、片側界面にホログラム形成部１１ａが設けられているので、ホログラム形成部１１ａから正反射角度以外の角度に反射する回折光によるホログラム像を検出器２２ｂで検出することにより、真正性識別フィルム１０の真正性を容易に識別することができる。
（実施の形態１−２）
図５は、本発明による真正性識別フィルムの使用方法の実施の形態１−２を説明する図である。
なお、以下に示す実施形態１−２では、前述した実施の形態１−１と同様の機能を果たす部分には、同一の符号を付して、重複する説明を適宜省略する。
図５は、文字、絵柄、パターンなどのホログラムを呈するホログラム形成部１１ａを形成した真正性識別フィルム１０を真正性識別対象物２０に貼付した一例を示す。
自然光（非偏光）による照射によって生じる真正性識別フィルム１０の貼合部からの反射光は円偏光となる。反射性フィルム１１を形成するコレステリック相の螺旋軸の回転方向を右回転（反時計回り）とした場合、反射性フィルム１１からの反射光およびホログラム形成部１１ａからのホログラム像は右円偏光となる。左円偏光を透過する左円偏光板部３０ａと右円偏光を透過する右円偏光板部３０ｂが境界を接した形で配置されている円偏光板３０によりその反射光およびホログラム像を観察した場合、右円偏光板部３０ｂでは真正性識別フィルム１０による選択反射光およびホログラム像があたかも偏光板が存在しないかのように明確に観察できるのに対し、左円偏光板部３０ａでは黒色となり選択反射光およびホログラム像をいずれも観察することができないことから、その反射光ならびにホログラム像が右円偏光からなることを容易に判別できる。
一方、偽造品では、反射光は円偏光とならず、かつ円偏光からなるホログラム像を作り出すことができない。このため円偏光板３０で観察した場合、選択反射光とホログラム像は、左円偏光部３０ａと右円偏光部３０ｂとの間で差異は生じない。
本実施形態によれば、円偏光板３０を使用して、真正性識別を容易におこなうことができる。
また、左円偏光板部３０ａと右円偏光板部３０ｂの透過光量の差または比を電気光学的に検出すれば真正性識別の精度を目視時よりも高めることができる。検出した反射光の波長を測定することで真正性識別の精度をさらに高めることができる。
（実施の形態１−３）
図６は、本発明による真正性識別フィルムの使用方法の実施の形態１−３を説明する断面図である
真正性識別フィルム１０は、反射性フィルム１１と、保護層１２と、光吸収層１３と、基板フィルム１４と、ホログラム形成層１５とを備えている。
本実施形態においては、反射性フィルム１１は、両界面とも平滑である点で、上述の実施形態１−１および１−２の反射性フィルムと異なっている。
ホログラム形成層１５は、反射性フィルム１１に積層され反射性フィルム１１で反射されずに透過する光を反射性フィルム１１の反射光と異なる方向に反射してホログラム像を形成する層である。ホログラム形成層１５の片側界面は、ホログラム形成部１５ａが設けられている。この場合、反射性フィルム１１は、左円偏光または右円偏光のうち一方の光を反射させ、ホログラム形成層１５は反射性フィルムからの反射光と反対の円偏光の光を透過させてホログラム形成部１５ａにおいて反射させホログラム像を形成する。ホログラム形成層１５は、ホログラム形成部１５ａの微小凹凸形状部分が形成しやすい合成樹脂、例えば、熱可塑性合成樹脂（ポリ塩化ビニル、アクリル樹脂、ポリカーボネート、ポリスチレン等）、熱硬化性合成樹脂（不飽和ポリエステル、メラミン、エポキシ等）、又は、熱可塑性合成樹脂及び熱硬化性合成樹脂を混合したものから形成される。そのような樹脂から形成されるホログラム形成層１５が反射性フィルム１１に貼付されている。また、そのような樹脂を反射性フィルム１１上に溶液塗布または溶融塗布によって直接配し、反射性フィルム１１上でホログラム形成層１５を形成することもできる。さらに、反射性フィルム１１とは異なる他の光透過性フィルム上に溶液塗布または溶融塗布によって配し、そのフィルム上でホログラム形成層１５を作成し、これを反射性フィルム１１の隣接界面に設置することもできる。
本実施形態によっても、真正性識別フィルム１０の真正性識別を容易におこなうことができる。
また、反射性フィルム１１及びホログラム形成層１５は、別体であるので、それぞれ別々の工程で製造することができるため、製造しやすい。
さらに、反射性フィルム１１及びホログラム形成層１５は、別々に製造することができるため、１種類の汎用性のある反射性フィルム１１を使用して、ホログラム形成層１５のホログラム形成部１５ａのパターンを変更することで、多種の真正性識別フィルム１０を製造することができる。
（変形形態）
以上説明した上記各実施の形態１−１，１−２，１−３に限定されることなく、種々の変形や変更が可能であって、それらも本発明の均等の範囲内である。
例えば、ホログラム形成部１１ａ，１５ａを複数設けて、溝の方向が異なる複数種類の微小凹凸部を形成してもよい。そのようにすれば、反射光は、複数の異なる方向に反射するので、それらの反射光を検知することで、識別精度を向上させることるができる。
また、上記各実施形態１−１，１−２，１−３では、反射性フィルム１１を構成するコレステリック液晶相の螺旋軸の回転方向は、右回転であったが、左回転でも同様の効果が得られる。
さらに、ホログラム像を鮮明にするために、ホログラム形成部１１ａ，１５ａに蒸着層を設けてもよい。
さらにまた、図１においては、ホログラム形成部１１ａは、光吸収層１３との界面に図示されているが、これに限定されるものではなく、保護層１２との界面に形成してもよい。この場合においても、真正性識別フィルム１０に入射した光は、ホログラム形成部１１ａによって所定の方向に反射されてホログラム像を形成するとともに、透過する光が、反射性フィルム１１内でホログラム像の方向と異なる方向に反射されて反射光を生成するため、図１に示すものと同様の効果が得られる。
また、保護層１２は、反射性フィルム１１が十分硬質であるときは、設けなくてもよい。
さらに、光吸収層１３は、真正性識別フィルム１０を取り付ける基材自体が、光吸収層性を有するときは、設けなくてもよい。
さらにまた、基板フィルム１４は、反射性フィルム１１、保護層１２又は光吸収層１３のいずれかに十分な自己支持性がある場合、もしくは真正性識別フィルム１０に自己支持性を必要としない場合には、必ずしも設けなくてもよい。
以上詳しく説明したように、本発明によれば、反射性フィルムは、ホログラム形成部を備えるので、偽造が困難であり、真正性を容易に識別することができる。
また反射性フィルムと、その反射性フィルムに貼付され、または隣接界面に設置されたホログラム形成層とを有するので、それぞれ別々の工程で製造することができる。
また反射性フィルムは、液晶フィルムであるので、選択反射性及び円偏光選択性を有する。
また反射性フィルムは、コレステリック相を固定化しているので、選択反射性及び円偏光選択性を有する。
またホログラム形成部は、エンボス・ホログラムで形成されているので、製造しやすい。
また真正性識別フィルムに光を照射する光源部と、円偏光の回転方向を検出する検出部とを有するので、真正性を容易に識別できる。
また検出部は、所定の波長帯域の光のみを検出するので、真正性を簡単に識別できる。
また検出部は、透過光量を検出するので、真正性を正確に識別できる。
また光源部及び／又は検出部は、偏光板、位相差板及び／又は帯域フィルタを有するので、製造しやすい。
また左円偏光又は右円偏光をそれぞれ照射して反射光を読み取った場合に、いずれか一方の反射光のみ読み取り可能なときは真正品であると判定するので、真正性を容易に識別できる。
また左円偏光及び右円偏光を含む光を照射して反射光を読み取った場合に、一方向に反射する反射光しか読み取れないときは偽造品であり、異なる方向に反射する反射光とホログラム像を読み取れるときは真正品であると判定するので、真正性を簡単に識別できる。
また左円偏光又は右円偏光のいずれか一方の光のみを透過する判別具をあてて目視した場合に、目視不能となる部分があるときは真正品であると判定するので、真正性を容易に識別できる。
また左円偏光又は右円偏光のいずれか一方の光のみを透過する判別具をあてて透過光量の差を電気光学的に検出した場合に、その差によって真正品であるか否かを判定するので、真正性を正確に識別できる。
第２の実施の形態
（実施の形態２−１）
次に図７により本発明の実施の形態２−１について説明する。図７において、真正性識別フィルム４０は反射性フィルム４１と、反射性フィルム４１に積層されたホログラム形成層４３と、ホログラム形成層４３に設けられた接着層４５と、反射性フィルム４１のホログラム形成層４１と反対側に積層された追加接着層４２およびフィルム基材４４とを備えている。
このうち接着層４５は真正性識別対象物２０に接着するためのものである。またホログラム形成層４３はホログラム形成部４３ａを有しているが、反射性フィルム４１にホログラム形成部を設けてこのホログラム形成層４３を除いてもよい。
真正性識別フィルム４０はシールタイプまたはラミネートタイプとなっており、真正性識別対象物２０に接着された後も、フィルム基材４４は真正性識別フィルム４０に残存する。
なお真正性識別フィルム４０としてホットスタンプタイプまたは熱転写リボンタイプのものを用いてもよい。真正性識別フィルム４０がホットスタンプタイプまたは熱転写リボンタイプのものの場合は、真正性識別対象物２０に接着された後フィルム基材４４が剥離されるため、追加接着層４２の代わりに剥離層および保護層が設けられる。
さらに、真正性識別フィルム４０は、上記の層以外の層を有していてもよい。
（実施の形態２−２）
次に図８乃至図１０により本発明の実施の形態２−２について説明する。
図８に示すように、プラスチックカードまたは紙幣カード等の真正性識別対象物２０に、図７に示す層構成の真正性識別フィルム４０がホットスタンプ、シール貼付、または熱転写方式により貼付けられている。真正性識別対象物２０の表面には、反射性フィルム４１からの反射光およびホログラム形成層４３からのホログラム像を効果的に観察することができるよう黒色等の吸収層が設けられている。また、真正性識別フィルム４の表面に文字、図形５０を設けておいてもよい。
なお、真正性識別フィルム４０がシール貼付けにより真正性識別対象物２０に貼付けられている場合、この真正性識別フィルム４０を真正性識別対象物２０から剥離しようとすると、各層間の接着力および真正性識別フィルム４０と対象物２０との間の接着力が反射性フィルム４１の強度より大きいため、反射性フィルム４１が破損してしまう。このため真正性識別対象物２０を改ざんするため真正性識別フィルム４０を剥離しようとしても、反射性フィルム４１の剥離によりこの改ざんを防止することができる。
次に図９により変形例について説明する。図９に示す変形例は、真正性識別対象物２０と真正性識別フィルム４０との間に写真５１を介在させたものであり、他は図８に示す実施の形態と略同一である。図９において、写真５１により真正性識別対象物２０の所有者を確認することができる。写真５１を変換するため真正性識別フィルム４０を剥離しようとすると、反射性フィルム４１が破損してしまう。
図９において用いられる真正性識別フィルム４０は光吸収層を有していないので透明性を有し（図７参照）、この真正性識別フィルム４０を通して真正性識別対象物２０の写真５１を確実に観察することができる。
次に図１０により他の変形例について説明する。図１０に示す変形例は、文字、図形５０を真正性識別対象物２０の全面に設けるとともに、真正性識別フィルム４０を対象物２０の全面にラミネートしたものであり、他は図９に示す実施の形態と略同一である。
（実施の形態２−３）
次に図１１により本発明の実施の形態２−３について説明する。図１１は、真正性識別対象物２０上に真正性識別フィルム４８を貼付ける状態を示す図である。
図１１に示すように、真正性識別対象物２０上にフィルム基材４７ａと転写層４７ｂとからなる転写シート４７が配置され、転写シート４７の上方からホットスタンプまたは転写ヘッド４６が降下する（図１１（ａ））。次にホットスンタプまたは転写ヘッド４６により転写シート４７が加熱および加圧され、対象物２０上に転写層４７ｂが転写されて真正性識別フィルム４８が貼付けられる。
この場合、真正性識別フィルム４８は、剥離層および保護層４２と、反射性フィルム４１と、ホログラム形成層４３と、接着層４５とからなる（図７参照）。
（実施の形態２−４）
次に図１２により本発明の実施の形態２−４について説明する。図１２に示す実施の形態は、図５に示す円偏光板３０をプラスチックまたは紙等の基材３２と一体化しカード状にしたものであり、この円偏光板３０は左円偏光板部３０ａと、右円偏光板部３０ｂと、左円偏光板部３０ａと右円偏光板部３０ｂとの境界に設けられた支持部３１とを有している。
左円偏光板部３０ａおよび右円偏光板部３０ｂは、いずれも偏光フィルムと位相差フィルムとを積層させた構造となっており、位相差フィルムが真正性識別フィルム側に位置している。左円偏光板部３０ａと右円偏光板部３０ｂとの偏光フィルムの吸収軸方向は互いに直行している。また、円偏光板３０は支持部３１によりその強度が維持されている。
この円偏光板３０により図５のような視覚効果が得られる。また、図９及び図１０のような実施形態で写真部分を観察した場合に左円偏光板部３０ａではホログラム画像が遮断され、写真のみ観察されるのに対し、右円偏光板部３０ｂではホログラム画像が強調されることになる。
【図面の簡単な説明】
図１は本発明の実施の形態１−１を示す真正性識別フィルムの断面図である。
図２は本発明の真正性識別フィルムが含有するコレステリック液晶の構造を示す模式図である。
図３は本発明の真正性識別フィルムによる反射光の反射強度−波長特性の一例を示す線図である。
図４（Ａ）および図４（Ｂ）は本発明による真正性識別フィルムを使用する真正性識別システムを説明する図である。
図５は本発明の実施の形態１−２による真正性識別フィルムの使用方法を示す図である。
図６は本発明の実施の形態１−３による真正性識別フィルムの使用方法を示す断面図である。
図７は本発明の実施の形態２−１を示す真正性識別フィルムの断面図である。
図８は本発明の実施の形態２−２を示す真正性識別フィルムの平面図である。
図９は本発明の実施の形態２−２を示す真正性識別フィルムの平面図である。
図１０は本発明の実施の形態２−２を示す真正性識別フィルムの平面図である。
図１１は本発明の実施の形態２−３を示す真正性識別フィルムを貼付ける状態を示す図である。
図１２は本発明の実施の形態２−４を示す真正性識別対象物と円偏光板の平面図である。
【図１】
0004268336.tif 000002
【図２】
0004268336.tif 000003
【図３】
0004268336.tif 000004
【図４（Ａ）】
0004268336.tif 000005
【図４（Ｂ）】
0004268336.tif 000006
【図５】
0004268336.tif 000007
【図６】
0004268336.tif 000008
【図７】
0004268336.tif 000009
【図８】
0004268336.tif 000010
【図９】
0004268336.tif 000011
【図１０】
0004268336.tif 000012
【図１１】
0004268336.tif 000013
【図１２】
0004268336.tif 000014